【手続補正書】
【提出日】平成20年6月3日(2008.6.3)
【手続補正１】
【補正対象書類名】明細書
【補正対象項目名】特許請求の範囲
【補正方法】変更
【補正の内容】
【特許請求の範囲】 【請求項１】  画像信号に応じて変調された光束を発する光源手段と、前記光源手段から発した光束を偏向する回転多面鏡と、前記回転多面鏡の偏向面によって偏向された光束を被走査面上に光スポットとして結像させる結像光学系と、前記被走査面に設けられた感光体と、前記感光体を主走査方向と直交する副走査方向に移動させる第１の駆動手段と、選択的に露光された感光体の非露光部にトナーを付着させて画像を形成する現像手段と、前記光源手段を制御する第２の駆動手段とを備え、前記感光体は、画像形成領域と主走査方向において前記画像形成領域を挟んで両側にブランク領域とを有する画像形成装置において、主走査断面内において、前記回転多面鏡の偏向面に入射する光束は、前記偏向面の主走査方向の幅よりも広い幅で入射しており、前記第２の駆動手段は、光スポットが前記感光体の上の画像形成領域を走査している期間中、画像信号に応じて前記光源手段を駆動し、光スポットが感光体上のブランク領域を走査している全ての期間、前記光源手段を点灯させており、前記回転多面鏡の隣接する２つの偏向面のうち一方の偏向面にて偏向された光束が前記感光体の上の走査終了側のブランク領域を走査しているとき、前記回転多面鏡の隣接する２つの偏向面のうち他方の偏向面にて偏向された光束が前記感光体の上の走査開始側のブランク領域を走査していることを特徴とする画像形成装置。 【請求項２】  前記走査開始側のブランク領域の最周部の像高をYbtop、前記走査終了側のブランク領域の最周部の像高をYbend、前記画像形成領域の端部の走査開始側の像高をYgtop、前記画像形成領域の端部の走査終了側の像高をYgendとし、前記結像光学系のｆθ係数をｆとするとき、    【数１】2002365571.tif 000001
を満足することを特徴とする請求項１に記載の画像形成装置。 【請求項３】  画像信号に応じて変調された光束を発する光源手段と、前記光源手段から発した光束を偏向する回転多面鏡と、前記回転多面鏡の偏向面によって偏向された光束を被走査面上に光スポットとして結像させる結像光学系と、前記被走査面に設けられた感光体と、前記感光体を主走査方向と直交する副走査方向に移動させる第１の駆動手段と、選択的に露光された感光体の非露光部にトナーを付着させて画像を形成する現像手段と、前記光源手段を制御する第２の駆動手段とを備え、前記感光体は、画像形成領域と主走査方向において前記画像形成領域を挟んで両側にブランク領域と、主走査方向において前記ブランク領域の走査開始側の外側に同期信号検出用の領域と、を有する画像形成装置において、主走査断面内において、前記回転多面鏡の偏向面に入射する光束は、前記偏向面の主走査方向の幅よりも広い幅で入射しており、 前記第２の駆動手段は、光スポットが前記感光体の上の画像形成領域を走査している期間中、画像信号に応じて前記光源手段を駆動し、光スポットが感光体上のブランク領域と前記同期信号検出用の領域を走査している全ての期間、前記光源手段を点灯させており、前記回転多面鏡の隣接する２つの偏向面のうち一方の偏向面にて偏向された光束が前記感光体の上の走査終了側のブランク領域を走査しているとき、前記回転多面鏡の隣接する２つの偏向面のうち他方の偏向面にて偏向された光束が前記感光体の上の前記同期信号検出用の領域を走査していることを特徴とする画像形成装置。 【請求項４】  前記同期信号検出用の領域に同期検知手段を有し、前記走査開始側のブランク領域の最周部の像高をYbtop、前記走査終了側のブランク領域の最周部の像高をYbend、前記画像形成領域の端部の走査開始側の像高をYgtop、前記画像形成領域の端部の走査終了側の像高をYgend、走査開始のタイミング検知の最周部の像高をYbd、前記結像光学系のｆθ係数をｆとするとき、    【数２】2002365571.tif 000002
を満足することを特徴とする請求項３に記載の画像形成装置。 【請求項５】  請求項１乃至４の何れか１項に記載の画像形成装置は外部機器から入力したコードデータを画像信号に変換して前記画像形成装置に入力せしめるプリンタコントローラを有していることを特徴とする画像形成装置。【手続補正２】
【補正対象書類名】明細書
【補正対象項目名】００１５
【補正方法】変更
【補正の内容】
【００１５】  請求項１の発明の画像形成装置は、画像信号に応じて変調された光束を発する光源手段と、前記光源手段から発した光束を偏向する回転多面鏡と、前記回転多面鏡の偏向面によって偏向された光束を被走査面上に光スポットとして結像させる結像光学系と、前記被走査面に設けられた感光体と、前記感光体を主走査方向と直交する副走査方向に移動させる第１の駆動手段と、選択的に露光された感光体の非露光部にトナーを付着させて画像を形成する現像手段と、前記光源手段を制御する第２の駆動手段とを備え、前記感光体は、画像形成領域と主走査方向において前記画像形成領域を挟んで両側にブランク領域とを有する画像形成装置において、主走査断面内において、前記回転多面鏡の偏向面に入射する光束は、前記偏向面の主走査方向の幅よりも広い幅で入射しており、前記第２の駆動手段は、光スポットが前記感光体の上の画像形成領域を走査している期間中、画像信号に応じて前記光源手段を駆動し、光スポットが感光体上のブランク領域を走査している全ての期間、前記光源手段を点灯させており、前記回転多面鏡の隣接する２つの偏向面のうち一方の偏向面にて偏向された光束が前記感光体の上の走査終了側のブランク領域を走査しているとき、前記回転多面鏡の隣接する２つの偏向面のうち他方の偏向面にて偏向された光束が前記感光体の上の走査開始側のブランク領域を走査していることを特徴としている。【手続補正３】
【補正対象書類名】明細書
【補正対象項目名】００１６
【補正方法】変更
【補正の内容】
【００１６】  請求項２の発明は請求項１の発明において、前記走査開始側のブランク領域の最周部の像高をYbtop、前記走査終了側のブランク領域の最周部の像高をYbend、前記画像形成領域の端部の走査開始側の像高をYgtop、前記画像形成領域の端部の走査終了側の像高をYgendとし、前記結像光学系のｆθ係数をｆとするとき、    【数３】2002365571.tif 000003
を満足することを特徴としている。【手続補正４】
【補正対象書類名】明細書
【補正対象項目名】００１７
【補正方法】変更
【補正の内容】
【００１７】  請求項３の発明の画像形成装置は、画像信号に応じて変調された光束を発する光源手段と、前記光源手段から発した光束を偏向する回転多面鏡と、前記回転多面鏡の偏向面によって偏向された光束を被走査面上に光スポットとして結像させる結像光学系と、前記被走査面に設けられた感光体と、前記感光体を主走査方向と直交する副走査方向に移動させる第１の駆動手段と、選択的に露光された感光体の非露光部にトナーを付着させて画像を形成する現像手段と、前記光源手段を制御する第２の駆動手段とを備え、前記感光体は、画像形成領域と主走査方向において前記画像形成領域を挟んで両側にブランク領域と、主走査方向において前記ブランク領域の走査開始側の外側に同期信号検出用の領域と、を有する画像形成装置において、主走査断面内において、前記回転多面鏡の偏向面に入射する光束は、前記偏向面の主走査方向の幅よりも広い幅で入射しており、 前記第２の駆動手段は、光スポットが前記感光体の上の画像形成領域を走査している期間中、画像信号に応じて前記光源手段を駆動し、光スポットが感光体上のブランク領域と前記同期信号検出用の領域を走査している全ての期間、前記光源手段を点灯させており、前記回転多面鏡の隣接する２つの偏向面のうち一方の偏向面にて偏向された光束が前記感光体の上の走査終了側のブランク領域を走査しているとき、前記回転多面鏡の隣接する２つの偏向面のうち他方の偏向面にて偏向された光束が前記感光体の上の前記同期信号検出用の領域を走査していることを特徴としている。【手続補正５】
【補正対象書類名】明細書
【補正対象項目名】００１８
【補正方法】変更
【補正の内容】
【００１８】 請求項４の発明は請求項３の発明において、前記同期信号検出用の領域に同期検知手段を有し、前記走査開始側のブランク領域の最周部の像高をYbtop、前記走査終了側のブランク領域の最周部の像高をYbend、前記画像形成領域の端部の走査開始側の像高をYgtop、前記画像形成領域の端部の走査終了側の像高をYgend、走査開始のタイミング検知の最周部の像高をYbd、前記結像光学系のｆθ係数をｆとするとき、    【数４】2002365571.tif 000004
を満足することを特徴としている。【手続補正６】
【補正対象書類名】明細書
【補正対象項目名】００１９
【補正方法】変更
【補正の内容】
【００１９】 請求項５の発明は請求項１乃至４のいずれか１項の発明において、請求項１乃至４の何れか１項に記載の画像形成装置は外部機器から入力したコードデータを画像信号に変換して前記画像形成装置に入力せしめるプリンタコントローラを有していることを特徴としている。【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３５
【補正方法】変更
【補正の内容】
【００３５】  静電潜像担持体（感光体）たる感光ドラム２０１は、モータ（第１の駆動手段）２１５によって時計廻りに回転させられる。そして、この回転に伴って、感光ドラム２０１の感光面が光ビーム２０３に対して、主走査方向と直交する副走査方向に移動する。感光ドラム２０１の上方には、感光ドラム２０１の表面を一様に帯電せしめる帯電ローラ２０２が表面に当接するように設けられている。そして、帯電ローラ２０２によって帯電された感光ドラム２０１の表面に、前記光走査装置２００によって走査される光ビーム２０３が照射されるようになっている。【手続補正２１】
【補正対象書類名】明細書
【補正対象項目名】００３６
【補正方法】変更
【補正の内容】
【００３６】  先に説明したように、光ビーム２０３は、画像データＤｉに基づいて変調されており、この光ビーム２０３を照射することによって感光ドラム２０１の表面に選択的に静電潜像を形成せしめる。この静電潜像は、上記光ビーム２０３の照射位置よりもさらに感光ドラム２０１の回転断面内における下流側で感光ドラム２０１に当接するように配設された現像器２０７によってトナー像として現像される。【手続補正２２】
【補正対象書類名】明細書
【補正対象項目名】００４４
【補正方法】変更
【補正の内容】
【００４４】  図２〜図５において符号１は光源である半導体レーザを示す。半導体レーザ１はレーザ駆動信号に基づいて第２の駆動手段で制御され、光ビームを出射する。符号２はコリメーターレンズを示す。このコリメーターレンズ２は半導体レーザ１から出射した発散光束を平行光束又は収束光束に変換している。尚、半導体レーザ１とコリメーターレンズ２とを一体化にして構成しても良い。【手続補正２３】
【補正対象書類名】明細書
【補正対象項目名】００５０
【補正方法】変更
【補正の内容】
【００５０】  本実施形態の光走査装置においては被走査面（感光ドラム面）８上の画像形成領域を光スポットで走査する前に、画像形成を開始するタイミングを調整するために同期信号検出用の光検出器（同期検知手段）としてのＢＤ（beam detector）センサー１２が設けられている。このＢＤセンサー１２は光偏向器６で偏向された光ビームの一部であるＢＤ光束、すなわち感光ドラム面８上の画像形成領域を走査する前の、画像形成領域外の領域（ブランク領域）を走査している時の光ビームを受光する。このＢＤ光束はＢＤミラー（同期信号検出用ミラー）１０で反射され、ＢＤレンズ（集光レンズ）１１で集光されてＢＤセンサー１２に入射する。そしてこのＢＤセンサー１２の出力信号からＢＤ信号（同期信号）を検出し、このＢＤ信号に基づいて被走査面（感光ドラム面）８における画像記録の走査開始タイミングを調整している。【手続補正２４】
【補正対象書類名】明細書
【補正対象項目名】００５４
【補正方法】変更
【補正の内容】
【００５４】  ポリゴンミラー８２への入射光８１はポリゴン反射面（偏向面）の面幅（主走査方向の幅）よりも広いために、ポリゴンミラー８２の隣接反射面（偏向面）８５，８６による反射光が発生する。ポリゴン反射面８６に入射した入射光８１は画像描画エリア（画像形成領域）８４ａを走査したのちに、光ビーム９１はブランク領域８８の点８８ａに到達する、このとき光源は連続点灯状態となり、ポリゴンミラー８２の回転とともにブランク領域８８の全域（全ての期間中）を露光しながら走査し、さらに走査して光ビーム９３はブランク領域８８の位置（端部）８８ｂまで走査する。【手続補正２５】
【補正対象書類名】明細書
【補正対象項目名】００５５
【補正方法】変更
【補正の内容】
【００５５】  同時に入射光８１のうちポリゴンミラー８２の反射面８６の他方の隣接面の反射面（偏向面）８５により、反射偏向された光ビーム９０は走査開始側のブランク領域８７の一部に入射し露光し始め、ポリゴンミラー８２の回転とともに光ビーム９０はブランク領域８７の点８７ａを露光しながら走査し、光ビーム９２はブランク領域８７の位置８７ｂまで到達する。【手続補正２６】
【補正対象書類名】明細書
【補正対象項目名】００６８
【補正方法】変更
【補正の内容】
【００６８】  このとき図７に示したように走査光学装置の走査開始側のＢＤ検知領域（タイミング検知）１１４の最周部の光軸Ｌａからの像高をYbd、走査開始側のブランク領域１０７の最周部の像高である最大像高１０７ｃまでの光軸Ｌａからの高さをYbtop、走査終了側のブランク領域１０８の最周部の像高である最大像高１０８ｃまでの光軸Ｌａからの高さをYbendとし、画像描画エリア１０４ａの走査開始側の最周部の像高である最大像高１０４ｂまでの光軸Ｌａからの高さをYgtop、画像描画エリア１０４ａの走査終了側の最周部の像高である最大像高１０４ｃまでの光軸Ｌａからの高さをYgendとしたとき、結像光学系１０３のｆθ係数ｆが以下の式（４）〜（６）を満足することが、走査開始側のＢＤ検出領域１１４と走査終了側のブランク領域１０８の全域または一部を同時に光ビームで露光するときの条件である。